(57)【要約】  本発明は、平面エレメント（好ましくはガラス枠、好ましくは積層ガラス枠またはテーパー付けられたガラス枠）を保管するための保管デバイス（特に、ハープラック）に関する。【選択図】図１
2021524426.tif 000002
【特許請求の範囲】
【請求項１】
プレート状エレメント（好ましくはガラスシート、好ましくは積層ガラスシート）を保管するための保管デバイス（１）（特にハープラック（２））であって、
積載スペース（４）と、
前記プレート状エレメントの収容のために、前記保管デバイス（１）の積載方向（２ａ）に次々に配置され、前記保管デバイス（１）の幅方向（２ｂ）において、互いに隣接し、互いに平行に配置された個別の区画（１５）に前記積載スペース（４）を分割する複数の区画フレーム（８）と、を含み、
前記区画フレーム（８）はそれぞれ、前記区画（１５）の分割のために、前記幅方向（２ｂ）において、互いに隣接し、互いに離間する複数の第１の長尺区画分割エレメント（２８）（好ましくは区画分割ロッド（１６）および／または区画分割ケーブル）を含み、
前記保管デバイス（１）は、前記区画（１５）の横方向の境界を示す前記第１の区画分割エレメント（２８、１６）に加え、複数の第２の長尺区画分割エレメント（２９）（好ましくは区画分割ロッド（１９）および／または区画分割ケーブル）を含み、
前記複数の第２の長尺区画分割エレメント（２９、１９）は、次々に配置された２つの区画フレーム（８）の２つの第１の区画分割エレメント（２８、１６）の間に延びることを特徴とする保管デバイス（１）。
【請求項２】
前記第２の区画分割エレメント（２９、１９）はそれぞれ、１つの区画フレーム（８）の前記第１の区画分割エレメント（２８、１６）から、その後に位置する前記区画フレーム（８）の前記第１の区画分割エレメント（２８、１６）まで延びる請求項１に記載の保管デバイス（１）。
【請求項３】
前記保管デバイス（１）は、前記積載方向（２ａ）と、前記積載方向に垂直な水平幅方向（２ｂ）と、前記積載方向（２ａ）および前記幅方向（２ｂ）に垂直な高さ方向（２ｃ）とを含み、
好ましくは、積載側（５ａ）と、前記積載方向（２ａ）において前記積載側の反対側に位置する後側（５ｂ）とを含む請求項１または２に記載の保管デバイス（１）。
【請求項４】
前記区間フレーム（８）は、前記積載方向（２ａ）において、互いに離間して、次々に配置されている請求項３に記載の保管デバイス（１）。
【請求項５】
前記幅方向（２ｂ）に互いに隣接する前記区画（１５）は、前記保管デバイス（１）の前記積載側（５ａ）に向かって、好ましくは前記保管デバイス（１）の前記後側（５ｂ）にも向かって開口している請求項３または４に記載の保管デバイス（１）。
【請求項６】
次々に配置された前記個別の区画フレーム（８）の前記第１の区画分割エレメント（２８、１６）は、前記個別の区画（１５）の横方向の境界を示すように、前記積載方向（２ａ）に互いに位置合わせするように構成されている請求項３ないし５のいずれかに記載の保管デバイス（１）。
【請求項７】
前記区画フレーム（８）の各前記第１の区画分割エレメント（２８、１６）は、前記積載方向（２ａ）に位置合わせして構成された他の区間フレーム（８）の前記第１の区画分割エレメント（２８、１６）と共に、一方の側で前記区間（１５）の境界を示す請求項６に記載の保管デバイス（１）。
【請求項８】
前記区画フレーム（８）の各前記第１の区画分割エレメント（２８、１６）は、前記積載方向（２ａ）において位置合わせして構成された他の区画フレーム（８）の前記第１の区画分割エレメント（２８、１６）と共に、第１のエレメント列（好ましくはロッド列（１７））を形成し、
前記第１のエレメント列（好ましくはロッド列（１７））は、それぞれ一方の側で前記区画（１５）の境界を示す請求項６または７に記載の保管デバイス（１）。
【請求項９】
前第２の区画分割エレメント（２９、１９）は、一の第１の区画分割エレメント（２８、１６）から、前記積載方向（２ａ）において、前記一の第１の区画分割エレメントに直接隣接し、整列している同じロッド列（１７）の他の第１の区画分割エレメント（２８、１６）まで延在する請求項８に記載の保管デバイス（１）。
【請求項１０】
前記第２の区画分割エレメント（２９、１９）は、水平に、または水平に対する傾斜角で傾斜して延在し、
前記傾斜角は、好ましくは５°以下、好ましくは３°以下、特に好ましくは１°以下である請求項１ないし９のいずいれかに記載の保管デバイス（１）。
【請求項１１】
同じ区画フレーム（８）の間に位置する前記第２の区画分割エレメント（２９、１９）は、互いに隣接して構成され、好ましくは、前記幅方向（２ｂ）において互いに整列している請求項１ないし１０のいずいれかに記載の保管デバイス（１）。
【請求項１２】
前記第１の区画分割エレメント（２８、１６）は、垂直または実質的に垂直であり、
前記実質的に垂直の区画分割エレメント（２８、１６）は、垂線に対して、または前記高さ方向（２ｃ）に対して傾斜し、前記後側（５ｂ）に向かってまたはそれから離れて第１の傾斜角αで傾斜し、および／または、前記ハープラック（２）の一方の側に向かって第２の傾斜角で傾斜しており、
前記第１の傾斜角αは、好ましくは４５°以下、好ましくは２０°以下、特に好ましくは１０°以下であり、および／または
前記第２の傾斜角は、好ましくは７°以下、好ましくは５°以下、特に好ましくは２°以下である請求項１ないし１１のいずいれかに記載の保管デバイス（１）。
【請求項１３】
前記区画フレーム（８）は、２つの直立フレーム長尺ビーム（１３）と、下部および上部フレームクロスビーム（１４）とを含み、
前記フレームクロスビーム（１４）は、好ましくは前記幅方向（２ｂ）に平行であり、
前記第１の区画分割エレメント（１６）は、前記下部フレームクロスビーム（１４）から前記上部フレームクロスビーム（１４）まで延びる請求項１ないし１２のいずいれかに記載の保管デバイス（１）。
【請求項１４】
前記第２の区画分割エレメント（２９、１９）は、前記下部フレームクロスビーム（１４）と前記上部フレームクロスビーム（１４）との間に位置され、前記下部フレームクロスビーム（１４）および前記上部フレームクロスビーム（１４）から離間している請求項１ないし１３のいずいれかに記載の保管デバイス（１）。
【請求項１５】
前記プレート状エレメントを搬送するための搬送手段（好ましくはローラーコンベヤーまたはコンベヤーベルト）をさらに含む請求項１ないし１４のいずいれかに記載の保管デバイス（１）。
【請求項１６】
前記区画フレーム（８）は、前記第１の区画分割エレメント（２８、１６）の周りに配置され、好ましくはそれらの周りで自由に回転可能であるプラスチック製小チューブ（１８）を含み、
前記第２の区画分割エレメント（２９、１９）は、好ましくは、前記プラスチック製小チューブ（１８）より小さな外側を有する請求項１ないし１５のいずいれかに記載の保管デバイス（１）。
【請求項１７】
前記区画（１５）の前記幅は、８〜３０ｍｍ、好ましくは１３〜２４ｍｍである請求項１ないし１６のいずいれかに記載の保管デバイス（１）。
【請求項１８】
前記第１の区画分割エレメント（２８、１６）および／または前記第２の区画分割エレメント（２９、１９）は、金属（好ましくはステンレススチール）でできている請求項１ないし１７のいずいれかに記載の保管デバイス（１）。
【請求項１９】
前記第１の区画分割ロッド（１６）および／または前記第２の区画分割ロッド（１９）はチューブである求項１ないし１８のいずいれかに記載の保管デバイス（１）。
【請求項２０】
前記第２の区画分割エレメント（２９、１９）は、特に接続エレメントによって、前記第１の区画分割エレメント（２８、１６）に取り外し可能に接続されている請求項１ないし１９のいずいれかに記載の保管デバイス（１）。
【請求項２１】
前記第２の区画分割エレメント（２９、１９）は、後で設置することができ、特に、前記第１の区画分割エレメント（２８、１６）に後で取り外し可能に接続することができる請求項１ないし２０のいずいれかに記載の保管デバイス（１）。
【請求項２２】
前記接続エレメントはそれぞれ、前記第１の区画分割エレメント（２８、１６）の１つに取り外し可能に接続され、
前記第２の区画分割エレメント（２９、１９）はそれぞれ、前記接続エレメントの１つに取り外し可能に接続される請求項２０または２１に記載の保管デバイス（１）。
【請求項２３】
前記接続エレメントは、好ましくはクランプ方式で、前記第１の区画分割エレメント（２８、１６）の周囲に配置され、
好ましくは、前記第２の区画分割エレメント（２９、１９）は、プラグ接続および／またはスナップ接続によって前記接続エレメントに接続される請求項２０ないし２２のいずれかに記載の保管デバイス（１）。
【請求項２４】
前記接続エレメントは、複数のピースまたは１つのピースで形成されている請求項２０ないし２３のいずれかに記載の保管デバイス（１）。
【請求項２５】
前記接続エレメントは、クリップ（好ましくはプラスチッククリップ（２０）または金属製のクリップ）である請求項２０ないし２４のいずれかに記載の保管デバイス（１）。
【請求項２６】
前記クリップは、２つの部分で構成され、それぞれ、第１ハーフクリップおよび第２のハーフクリップ（２０ａ、ｂ）を含み、
前記２つのハーフクリップ（２０ａ、ｂ）は、前記第１の区画分割エレメント（２８、１６）の周りに配置され、好ましくは、プラグ接続および／またはスナップオン接続によって、互いに接続される請求項２５に記載の保管デバイス（１）。
【請求項２７】
前記２つのハーフクリップ（２０ａ、ｂ）は、少なくとも一端で互いに接続されている請求項２６に記載の保管デバイス（１）。
【請求項２８】
ガラスシート（好ましくは積層ガラスシート）を処理するためのガラス加工装置（好ましくはガラスシート（好ましくは積層ガラスシート）を個別のガラスシートカットに切断するための切断装置）であって、
前記ガラス加工装置は、請求項１ないし２７のいずれかに記載の少なくとも１つの保管デバイス（１）を含むことを特徴とするガラス加工装置。
【発明の詳細な説明】
【技術分野】
【０００１】
本発明は、プレート状のエレメント（好ましくはガラスシート、好ましくは積層ガラスシートまたは単板（single-pane）安全ガラスシート）を保管するための保管デバイス（特に、ハープラック）に関する。
【背景技術】
【０００２】
ガラスシート状の全てのガラスは、使用される製造方法に関係なく、板ガラスと呼ばれる。
【０００３】
積層ガラスシートは、接着能を有するプラスチック中間層（特に、高耐引裂性、粘塑性、熱可塑性フィルム）によって、互いに接着された少なくとも２枚の個別のガラスシートの積層体である。
【０００４】
単板安全ガラスは、特別に熱処理された単一のガラスシートで構成されている。ガラスシートは、その変態温度を超える温度に加熱された後、衝撃冷却される。その結果、プレストレスがガラスプレートに生じる。好ましくは、熱処理は、ＤＩＮ ＥＮ １２１５０−１：２０１５−１２に従って実施される。プレストレスにより、単板安全ガラスは、通常の平らなガラスシートと比較して、優れた耐衝突性と耐衝撃性を有する。
【０００５】
ガラスシートにフィルタリング機能、ミラーリング機能、または加熱機能、または他の機能を提供するために、多種多様な単層または多層機能コーティングをガラスシートに付与することができる。
【０００６】
一般的に、ガラスシートは、後に使用するために適切にカットする必要がある。この目的のために、特に未加工のガラスシートは、個別のガラスシートカットに分割される。これは、既知の切断装置で行われる。切断後、ガラスシートカットまたは切断されたガラスシートは、好ましくは、さらなる処理装置（例えば、絶縁ガラス生産ラインまたは焼き戻しデバイス）でさらに処理される。
【０００７】
全体の製造プロセス中、特に切断前および/または切断後で、ガラスシートはソートされ、既知の方法で中間的に保管される。中間保管は、対応する保管デバイスで行われる。一般に、垂直保管デバイスと水平保管デバイスとは区別される。水平保管デバイスでは、ガラスシートは横になっている、または水平の位置に保管されている。垂直保管デバイスでは、ガラスシートは直立位置で、すなわち垂直にまたは垂直に対していくらか傾斜して保管される。
【０００８】
本発明による保管デバイスは、この意味で垂直保管デバイスである。
【０００９】
保管デバイスは、例えば、固定式保管デバイスまたは可動式保管デバイス（特に、ハープラック）である。
【００１０】
例えば、ドイツ特許出願公開第１０ ２００４ ０５３ ６００号は、ガラスシートが垂直に保管されているハープラック（harp rack）を示す。この目的のために、ハープラックは、垂直ワイヤーによって分割された複数の区画を有する。ここで、１つの区画は、各場合において、次々に構成された複数のワイヤーによって、隣接する区画から区切られている。
【００１１】
積層ガラスシート、および単板安全ガラスシートをラックに挿入すると、製造の結果としてのこれらのシートは、必ずしも完全に平面であるとは限らず、わずかに湾曲している可能性があるという問題が生じる。その結果、保管デバイスの前側挿入端において、そのようなガラスシートが第１の区画に配置されているが、保管デバイスの後端で隣接する区画にはみ出ることが時々発生する。つまり、ガラスシートは、区画に挿入されたときに、そのトラックに留まらない。
【発明の概要】
【発明が解決しようとする課題】
【００１２】
したがって、本発明の目的は、ガラスシート（好ましくは、積層ガラスシートおよび／または単板安全ガラスシート）を保管するための保管デバイスを提供することにある。その保管デバイスにおいて、わずかに湾曲したガラスシート（好ましくは、積層ガラスシートおよび／または単板安全ガラスシート）は、問題なく保管される。
【００１３】
さらなる目的は、そのような保管デバイスを有する、ガラスシート（好ましくは、積層ガラスシートおよび／または単板安全ガラスシート）を処理するためのガラス処理装置を提供することである。好ましくは、ガラス処理装置は、ガラスシート（好ましくは、積層ガラスシート）を個別のガラスシートカットに切断するための切断装置であり、これらをさらなる処理に自動的に供給する。
【課題を解決するための手段】
【００１４】
この目的は、請求項１に記載の保管デバイスおよび請求項２８に記載のガラス処理装置によって達成される。本発明の有利なさらなる利点は、それぞれ以下の従属請求項に特徴づけられる。
【発明の効果】
【００１５】
以下に、本発明を図面に基づいてより詳細に例示的に説明する。
【図面の簡単な説明】
【００１６】
【図１】図１は、本発明によるハープラックの斜視図を示す。
【００１７】
【図２】図２は、ハープラックの側面図を示す。
【００１８】
【図３】図３は、第１および第２の区画分割ロッドを備えた、ハープラックの積載（loading）側領域の拡大図を示す。
【００１９】
【図４】図４は、図６のＡ−Ａ線に沿った断面を示す。
【００２０】
【図５】図５は、第１の区画分割ロッド、２つの第２の区画分割ロッド、およびプラスチッククリップの斜視分解図を示す。
【００２１】
【図６】図６は、第１および第２の区画分割ロッドの分解側面図を概略的に示す。
【発明を実施するための形態】
【００２２】
本発明による保管デバイス１（図１、２）は、好ましくはハープラック２である。
【００２３】
ハープラック２は、保管または積載（loading）スペース４を取り囲むベースフレーム３を有する。
【００２４】
また、ハープラック２は、水平長手方向または積載方向２ａと、それに垂直な水平幅方向２ｂと、積載方向２ａおよび幅方向２ｂに垂直な高さ方向２ｃとを有する。
【００２５】
また、ハープラック２は、積載側５ａと、積載方向２ａで積載側の反対側に位置する後側５ｂとを有する。ガラスシートは、積載側５ａから、積載方向２ａにハープラック２に挿入される。
【００２６】
さらに、ハープラック２は、地面に沿ってハープラック２を移動させるための車輪６を有する（好ましくは、４つ）。車輪６は、ベースフレーム３の下側に固定されている。
【００２７】
さらに、ハープラック２は、好ましくは、ハープラック２の後側５ｂに位置する保護グリル２７をさらに有する。保護グリル２７は、しばしば鋭いエッジを有するガラスシートによって操作者が負傷するのを防ぐのに役立つ。
【００２８】
ハープラック２のベースフレーム３は、フロアフレーム７と、複数の好ましくは長方形の区画フレーム８と、２つの上部支柱９と、好ましくは２つの横支柱１０とを有する。
【００２９】
フロアフレーム７は、好ましくは、既知の方法で、積載方向２ａに次々に配置された複数のローラー１２を有するローラーコンベヤー１１を有する。ローラー１２は、幅方向２ｂに平行な回転軸を中心に回転可能である。ローラーコンベヤー１１の代わりに、コンベヤーベルトなどの他の運搬手段が存在する。
【００３０】
区画フレーム８は、積載方向２ａにおいて、互いに離間して、次々に配置されている。区画フレーム８は、好ましくは、２つの上部支柱９および２つの横支柱１０によって互いに接続されている。さらに、区画フレーム８は、フロアフレーム７上に配置され、フロアフレーム７に固定的に接続されている。
【００３１】
区画フレーム８は、好ましくは、それぞれ、２つのフレーム長尺ビーム（梁）１３および２つのフレームクロスビーム（横梁）１４を含む。フレームクロスビーム１４は、それぞれ、特に、幅方向２ｂに平行に延びる。直立のフレーム長尺ビーム１３は、垂直に、または実質的に垂直に延びる。フレーム長尺ビーム１３は、フレームクロスビーム１４によって互いに接続されている。「実質的に垂直」とは、フレーム長尺ビーム１３が、垂線に対して、または高さ方向２ｃに対して傾斜していることを意味する。それらは、後側５ｂに向かって、またはそれから離れて傾斜していてもよく、および／または、ハープラック２の一方の側に向かって傾斜していてもよい。
【００３２】
「後側５ｂに向かって、またはそれから離れて傾斜している」とは、積載方向２ａに平行な方向の傾斜、または、幅方向２ｂに平行な軸の周りに傾斜または回転またはたわみを意味する。
【００３３】
「一方の側に傾斜」とは、幅方向２ｂに平行な方向の傾斜、または、積載方向２ａに平行な軸の周りに傾斜または回転またはたわみを意味する。
【００３４】
ここで、後側５ｂに向かう、またはそれから離れる傾斜角は、好ましくは４５°以下、より好ましくは２０°以下、特に好ましくは１０°以下である。
【００３５】
ハープラック２の一方の側に向かう傾斜角は、好ましくは７°以下、より好ましくは５°以下、特に好ましくは２°以下である。
【００３６】
区画フレーム８は、積載スペース４を、幅方向２ｂにおいて互いに隣接する個別の区画１５に分割する。互いに隣接し、互いに平行である区画１５は、積載側５ａに向かって開口しており、好ましくは、後側５ｂに向かっても開口している。
【００３７】
区画１５の分割のために、区画フレーム８は、それぞれ、互いに平行な、複数の第１の区画境界ロッドまたはバー、または、区画分割ロッドまたはバー１５を有する。これらは、互いに隣接し、幅方向２ｂにおいて互いに離間する。
【００３８】
第１の区画分割ロッド１６は、直立しており、すなわち垂直または実質的に垂直である。好ましくは、それらは、フレーム長尺ビーム１３に対して平行に延びる。
【００３９】
すでに上で述べたように、「実質的に垂直」とは、第１の区画分割ロッド１６が垂線に対して、または高さ方向２ｃに対して、わずかに傾斜していることを意味する。それらは、後側５ｂに向かって、またはそれから離れて傾斜し（第１の傾斜角α）、および／またはハープラック２の一方の側に向かって傾斜している（第２の傾斜角）。したがって、第１の傾斜角αは、幅方向２ｂに垂直な面上に投影された垂線と、区画分割ロッド１６との間の角度、または、区画分割ロッド１６が幅方向２ｂに平行な回転軸の垂線に対して偏向または傾斜した角度である。第２の傾斜角は、積載方向２ａに垂直な面上に投影された垂線と、区画分割ロッド１６との間の角度、または、区画分割ロッド１６が積載方向２ａに平行な回転軸の垂線に対して偏向または傾斜する角度である。
【００４０】
第１の傾斜角αは、好ましくは４５°以下、より好ましくは２０°以下、特に好ましくは１０°以下である。
【００４１】
第２の傾斜角は、好ましくは７°以下、より好ましくは５°以下、特に好ましくは２°以下である。
【００４２】
さらに、第１の区画分割ロッド１６は、下部フレームクロスビーム１４から上部フレームクロスビーム１４まで延びる。好ましくは、第１の区画分割ロッド１６は、２つのフレームクロスビーム１４に固定的に接続されている。さらに、第１の区画分割ロッド１６は、２つのフレーム長尺ビーム１３の間に配置されている。
【００４３】
次々に配置された個別の区画フレーム８の第１の区画分割ロッド１６は、それらが個別の区画１５を横方向（すなわち、幅方向２ｂ）に境界付けるように、積載方向２ａに互いに整列されるように構成される。したがって、一の区画フレーム８の各第１の区画分割ロッド１６は、積載方向２ａに位置合わせされた他の区画フレーム８の第１の区画分割ロッド１６と共に、一方の側で区画１５の境界を示す。
【００４４】
すなわち、一の区画フレーム８の各第１の区画分割ロッド１６は、積載方向２ａに整列させて構成された他の区画フレーム８の第１の区画分割ロッド１６と、第１のロッド列１７を形成する。各第１のロッド列１７は、それぞれ、一方の側で区画１５の境界を示す。
【００４５】
第１の区画分割ロッド１６は、好ましくは金属製であり、より好ましくはステンレススチール製である。また、第１の区画分割ロッド１６は、チューブが好ましい。
【００４６】
好ましくは、さらに、以下でより詳細に説明するように、ガラスシートが引っかかれることを防止するために、回転可能なプラスチック製小チューブ１８が提供される。プラスチック製小チューブ１８は、区画分割ロッド１６の周りに配置され、それらの周りで自由に回転可能である。
【００４７】
本発明によれば、さらに、ハープラック２は、複数の第２の区画境界ロッドまたはバー、または、区画分割ロッドまたはバー１９を有する。第２の区画分割ロッド１９は、それぞれ、第１のロッド列１７の第１区画分割ロッド１６の間に延びる。
【００４８】
したがって、第２の区画分割ロッド１９は、一の第１の区画分割ロッド１６から、それに直接隣接し、同じロッド列１７の積載方向２ａに整列した他の第１の区画分割ロッド１６まで延びる。
【００４９】
さらに、第２の区画分割ロッド１９は、特に、下部フレームクロスビーム１４と上部フレームクロスビーム１４との間に位置し、下部フレームクロスビーム１４と上部フレームクロスビーム１４とから離間している。
【００５０】
好ましくは、さらに、第２の区画分割ロッド１９は、水平に、または積載方向２ａに平行に延びる。ただし、第２の区画分割ロッド１９は、積載方向２ａに対して、または水平に対してある角度で延びる。しかしながら、それらは、第１の区画分割ロッド１６と平行ではない。
【００５１】
第２の区画分割ロッド１９が水平でない場合、それらは、積載方向２ａに対して、または高さ方向２ｃの第３の傾斜角による水平に対して、偏向または傾斜している。したがって、第３の傾斜角は、幅方向２ｂに垂直な面に投影された、水平方向または積載方向２ａと、第２の区画分割ロッド１９との間の角度、または、水平方向または積載方向２ａに対して、第２の区画分割ロッド１９が幅方向２ｂに平行な回転軸を中心に偏向または傾斜する角度である。
【００５２】
第３の傾斜角は、好ましくは５°以下、より好ましくは３°以下、特に好ましくは１°以下である。
【００５３】
第１の区画分割ロッド１６が一方の側に傾斜している場合、第２の区画分割ロッド１９も必然的に幅方向２ｂの方向に傾斜するか、または、垂線に平行な回転軸の周りに対応して傾斜または偏向する。
【００５４】
さらに、同じ２つの区画フレーム８の間に配置された第２の区画分割ロッド１９は、好ましくは、互いに隣接し、幅方向２ｂに互いに整列している。それらは、第２（特に、水平）のロッド列１９を形成する。しかしながら、第２の区画分割ロッド１９はまた、それらの高さにおいて、互いに対してオフセットされる。
【００５５】
第２の区画分割ロッド１９もまた、好ましくは金属製であり、好ましくはステンレススチール製である。また、第２の区画分割ロッド１９は、チューブが好ましい。
【００５６】
本発明によれば、第２の区画分割ロッドは、区画１５の追加的な横方向の境界に使用され、ガラスシートがそれぞれの区画１５に挿入されるときにガラスシートを案内および中央に配置する。
【００５７】
第２の区画分割ロッド１９は、好ましくは、プラスチック製の小チューブ１８よりも小さい外径を有する。これは、ガラスシートの表面への損傷を防止する。
【００５８】
さらに、区画１５の幅は、好ましくは８〜３０ｍｍ、より好ましくは１３〜２４ｍｍである。したがって、本発明によるハープラック２の区画１５は、既知の保管デバイスの区画よりも幾分広い幅を有する。このように、区画１５へのわずかに湾曲したガラスシートの問題のない挿入がさらに保証される。
【００５９】
好ましくは、さらに、第２の区画分割ロッド１９は、第１の区画分割ロッド１６に取り外し可能に接続される。この目的のために、好ましくは、プラスチッククリップ２０（図３〜７）が提供される。
【００６０】
プラスチッククリップ２０は、それぞれ２つの部分で構成され、第１のハーフクリップ２０ａと、第２のハーフクリップ２０ｂとを有する。
【００６１】
ハーフクリップ２０ａ、２０ｂは、それぞれ、中央部分２１と、そこから両側に延びる２つのペグ２２とを有する。
【００６２】
各中央部分２１は、第１の区画分割ロッド１６を受け入れるための連続ロッドレセプタクル溝２３を有する。その結果、ロッドレセプタクル溝２３は、半円形の断面を有する。断面の直径は、好ましくは、第１の区画分割ロッド１６の外径に対応する。
【００６３】
２つのペグ２２は、それぞれ、少なくとも端部で管状に形成されている第２の区画分割ロッド１８の一方に挿入される。したがって、それらは、同様に半円形の断面を有し、断面の外径は、第２の区画分割ロッド１８の内径に実質的に相当する。さらに、ペグ２２は、好ましくは、ペグ２２の自由端からペグに延びるスロット２４を有する。
【００６４】
ハープラック２の積載側５ａおよび後側５ｂに配置されたプラスチッククリップ２０のハーフクリップ２０ａ、２０ｂはそれぞれ、好ましくは、１つのペグ２２のみを有する。
【００６５】
さらに、２つのハーフクリップ２０ａ、２０ｂはそれぞれ、それぞれの他のハーフクリップ２０ａ、２０ｂに取り付けるための取付面２５を有する。さらに、２つのハーフクリップ２０ａ、２０ｂのうちの一方は、取付面２５から突出する２つのピン２６を有する。２つのハーフクリップ２０ａ、２０ｂのうちの他方は、ピンに対応する２つの凹部（図示せず）を有する。
【００６６】
第２の区画分割ロッド１８を第１の区画分割ロッド１６に接続するために、２つのハーフクリップ２０ａ、２０ｂは、第１の区画分割ロッド１６の周りにロッドレセプタクル溝２３が配置され、ピン２６が凹部に挿入される。このようにして、ハーフクリップ２０ａ、２０ｂは互いに接続され、プラスチッククリップ２０が第１の区画分割ロッド１６にクランプされる。次に、第２の区画分割ロッド１８の一方は、ペグ２２の一方に差し込まれる。
【００６７】
その結果、第１区画分割ロッド１６および第２の区画分割ロッド１８は、固定的ではあるが取り外し可能に互いに接続されている。
【００６８】
本発明による追加の第２の区画分割ロッド１９の利点は、これらが本発明による保管デバイス１に導入されるときに、ガラスシートの追加的な横方向のガイドを提供することである。区画１５は、第２の区画分割ロッド１９によって、さらに横方向に境界付けられる。それにより、区画１５は、積載方向２ａにおいて連続的に横方向に境界付けられる。結果として、ガラスシートは、隣接する区画１５に入り込まない。
【００６９】
さらに、第２の区画分割ロッドはまた、第１の区画分割ロッド上のプラスチック製小チューブが必要なオープンスペースを許容するように変位可能である限り、その後に容易に設置することができる。プラスチッククリップは、２つのプラスチック製の小チューブの間のオープンスペースに簡単にクリップされる。
【００７０】
保管デバイス１が可動保管デバイス１ではなく、むしろ固定保管デバイス１であることも本発明の範囲内である。
【００７１】
区画分割ロッド１６、１９の代わりに、区画分割ケーブル（好ましくは金属製、好ましくはスチール製）、または他の長尺状の第１または第２の区画境界エレメント、または区画分割エレメント２８、２９が使用されることも本発明の範囲内である。さらに、区画分割エレメント２８、２９は、これが好ましいとしても、丸い断面を有する必要はない。
【００７２】
さらに、プラスチッククリップの代わりに、他の材料で作られたクリップが使用されることは、本発明の範囲内である。その場合、クリップは、金属製であることが好ましい。特に、それらは、好ましくは、プレス加工されたシート金属部品または鋳造部品、特にダイカスト部品である。
【００７３】
さらに、２つのハーフクリップは、特に一端で、互いに取り外し不可能に接続されることもできる。その結果、クリップは、２つの部分を有するが、複数の部分ではなく、むしろ１つの部分として実現される。例えば、２つのハーフクリップは、ヒンジで相互に接続される。または、クリップは、一方の側で開口を形成し、スロット（細長い小さな孔）を形成する。
【００７４】
次に、組み立て中に、それらは、第１の区画分割エレメントの周りに配置されるか、または第１の区画分割エレメントは、スロットを通してクリップに押し込まれる。ハーフクリップのそれぞれの自由端は、好ましくは、特に取り外し可能に、互いに接続される。次に、取り外し可能な接続は、好ましくは、プラグ接続および／またはスナップオン接続、特に、互いに取り外し可能に接続された２つのハーフクリップについての上記のような接続である。しかしながら、特に、スロット付きクリップの場合、第１の区画分割エレメント上にクリップを押し込むだけで十分な場合もある。これらはこの間に弾性変形するため、ハーフクリップを相互に追加接続することなく、第１の区画分割エレメントをクランプ方式で保持することができる。
【００７５】
第１の区画分割エレメントへの２つの区画分割エレメントの間接的な取り外し可能な接続はまた、他の追加の接続エレメントを使用して実現される。
【００７６】
上記で説明したように、接続エレメントに基づいて、第１の区画分割エレメントへの２つの区画分割エレメントのその後の接続が可能である。ここで、「その後（subsequent）」とは、第２の区画分割エレメントの組み立てとは別に、保管デバイスの組み立てが完了した後に、２つの区画分割エレメントを取り付けることができることを意味する。その結果、第１の区画分割エレメントのみを含む既存の保管デバイスを後付けすることができる。
【００７７】
これは、接続エレメントにより、第１の区画分割エレメントを変更または処理する必要がなく、むしろ変更しないでおくことができるからである。したがって、特に、第１の区画分割エレメントは、第２の区画分割エレメントに接続するための接続手段を有していない。
【図１】
2021524426.tif 000003
【図２】
2021524426.tif 000004
【図３】
2021524426.tif 000005
【図４】
2021524426.tif 000006
【図５】
2021524426.tif 000007
【図６】
2021524426.tif 000008
【手続補正書】
【提出日】令和2年11月18日(2020.11.18)
【手続補正１】
【補正対象書類名】明細書
【補正対象項目名】全文
【補正方法】変更
【補正の内容】
【発明の詳細な説明】
【技術分野】
【０００１】
本発明は、ガラスシート（好ましくは積層ガラスシートまたは単板（single-pane）安全ガラスシート）を保管するための保管デバイス（特に、ハープラック）に関する。
【背景技術】
【０００２】
ガラスシート状の全てのガラスは、使用される製造方法に関係なく、板ガラスと呼ばれる。
【０００３】
積層ガラスシートは、接着能を有するプラスチック中間層（特に、高耐引裂性、粘塑性、熱可塑性フィルム）によって、互いに接着された少なくとも２枚の個別のガラスシートの積層体である。
【０００４】
単板安全ガラスは、特別に熱処理された単一のガラスシートで構成されている。ガラスシートは、その変態温度を超える温度に加熱された後、衝撃冷却される。その結果、プレストレスがガラスプレートに生じる。好ましくは、熱処理は、ＤＩＮ ＥＮ １２１５０−１：２０１５−１２に従って実施される。プレストレスにより、単板安全ガラスは、通常の平らなガラスシートと比較して、優れた耐衝突性と耐衝撃性を有する。
【０００５】
ガラスシートにフィルタリング機能、ミラーリング機能、または加熱機能、または他の機能を提供するために、多種多様な単層または多層機能コーティングをガラスシートに付与することができる。
【０００６】
一般的に、ガラスシートは、後に使用するために適切にカットする必要がある。この目的のために、特に未加工のガラスシートは、個別のガラスシートカットに分割される。これは、既知の切断装置で行われる。切断後、ガラスシートカットまたは切断されたガラスシートは、好ましくは、さらなる処理装置（例えば、絶縁ガラス生産ラインまたは焼き戻しデバイス）でさらに処理される。
【０００７】
全体の製造プロセス中、特に切断前および/または切断後で、ガラスシートはソートされ、既知の方法で中間的に保管される。中間保管は、対応する保管デバイスで行われる。一般に、垂直保管デバイスと水平保管デバイスとは区別される。水平保管デバイスでは、ガラスシートは横になっている、または水平の位置に保管されている。垂直保管デバイスでは、ガラスシートは直立位置で、すなわち垂直にまたは垂直に対していくらか傾斜して保管される。
【０００８】
本発明による保管デバイスは、この意味で垂直保管デバイスである。
【０００９】
保管デバイスは、例えば、固定式保管デバイスまたは可動式保管デバイス（特に、ハープラック）である。
【００１０】
例えば、ドイツ特許出願公開第１０ ２００４ ０５３ ６００号は、ガラスシートが垂直に保管されているハープラック（harp rack）を示す。この目的のために、ハープラックは、垂直ワイヤーによって分割された複数の区画を有する。ここで、１つの区画は、各場合において、次々に構成された複数のワイヤーによって、隣接する区画から区切られている。
【００１１】
積層ガラスシート、および単板安全ガラスシートをラックに挿入すると、製造の結果としてのこれらのシートは、必ずしも完全に平面であるとは限らず、わずかに湾曲している可能性があるという問題が生じる。その結果、保管デバイスの前側挿入端において、そのようなガラスシートが第１の区画に配置されているが、保管デバイスの後端で隣接する区画にはみ出ることが時々発生する。つまり、ガラスシートは、区画に挿入されたときに、そのトラックに留まらない。
ドイツ特許出願公開第１０２０１３１０４８８３号は、プレート状のオブジェクト（例えば、ガラスプレート）を保管するためのスタンドを開示する。これは、積載スペースと、いくつかの保持セクションと有する。保持セクションは、積載スペースを個別の区画に分割し、スタンドの幅方向に互いに隣接して平行な１つのプレート状エレメントを収容する。保持セクションは、長方形の断面を有する。それらはまた、垂直に整列している。スタンドは、支持ビームと、斜めの支持具とを有し、長方形の断面を有する。
欧州特許出願公開第２４２６０７２号は、フレーム付きのガラスシートを保管するための保管デバイスを開示する。各フレームは、垂直プロファイルと水平プロファイルとを有する。これらは、互いに接続され、堅固な構造を形成している。さらに、フレームを横に傾けることができる。水平プロファイルは遮断される。それらは、保管施設の全長に沿って、連続的に伸びていない。スライドイン側では、水平プロファイルは、垂直プロファイルよりも突き出ている。
米国特許出願公開第２０１２／０１７５３２３は、ソーラーミラー枠（panes）を輸送するための保管輸送デバイスを開示する。保管デバイスは、上から積載される。それは、保管デバイスの幅方向に互いに隣接する平行な区画に積載スペースを分割するいくつかの水平支柱を有する。水平支柱は、下部で長尺梁（beams）によって、および、上端で山形鋼およびストリップによって、互いに接続される。さらに、保管デバイスは、側面の区画をさらに制限するいくつかの垂直支柱を有する。ラックの水平支柱と、垂直梁とは、長方形の断面を有する。
欧州特許出願公開第１５２６０９８号は、ガラスシートを保管するための保管デバイスを開示する。これは、１枚のガラスシートを受け入れるため、保管デバイスの幅方向に互いに隣接し、互いに平行である、積載スペースおよびいくつかの区画を有する。保管デバイスは、いくつかの垂直バーといくつかの水平バーとを備えた区画フレームも有する。積載方向は、上部から下部に垂直または水平であり、バーに垂直である。したがって、ファンフレームは、積載方向に垂直な方向、すなわち、レールに平行な方向に、前後に配置される。ファンフレームのバーの断面も長方形である。
【発明の概要】
【発明が解決しようとする課題】
【００１２】
本発明の目的は、ガラスシート（好ましくは、積層ガラスシートおよび／または単板安全ガラスシート）を保管するための保管デバイスを提供することにある。その保管デバイスにおいて、わずかに湾曲したガラスシート（好ましくは、積層ガラスシートおよび／または単板安全ガラスシート）は、問題なく保管される。
【００１３】
さらなる目的は、そのような保管デバイスを有する、ガラスシート（好ましくは、積層ガラスシートおよび／または単板安全ガラスシート）を処理するためのガラス処理装置を提供することである。好ましくは、ガラス処理装置は、ガラスシート（好ましくは、積層ガラスシート）を個別のガラスシートカットに切断するための切断装置であり、これらをさらなる処理に自動的に供給する。
【課題を解決するための手段】
【００１４】
この目的は、請求項１に記載の保管デバイスおよび請求項１４に記載のガラス処理装置によって達成される。また、請求項１５は、本発明による保管デバイスの使用を示唆する。本発明の有利なさらなる利点は、それぞれ以下の従属請求項に特徴づけられる。
【発明の効果】
【００１５】
以下に、本発明を図面に基づいてより詳細に例示的に説明する。
【図面の簡単な説明】
【００１６】
【図１】図１は、本発明によるハープラックの斜視図を示す。
【００１７】
【図２】図２は、ハープラックの側面図を示す。
【００１８】
【図３】図３は、第１および第２の区画分割ロッドを備えた、ハープラックの積載（loading）側領域の拡大図を示す。
【００１９】
【図４】図４は、図６のＡ−Ａ線に沿った断面を示す。
【００２０】
【図５】図５は、第１の区画分割ロッド、２つの第２の区画分割ロッド、およびプラスチッククリップの斜視分解図を示す。
【００２１】
【図６】図６は、第１および第２の区画分割ロッドの分解側面図を概略的に示す。
【発明を実施するための形態】
【００２２】
本発明による保管デバイス１（図１、２）は、好ましくはハープラック２である。
【００２３】
ハープラック２は、保管または積載（loading）スペース４を取り囲むベースフレーム３を有する。
【００２４】
また、ハープラック２は、水平長手方向または積載方向２ａと、それに垂直な水平幅方向２ｂと、積載方向２ａおよび幅方向２ｂに垂直な高さ方向２ｃとを有する。
【００２５】
また、ハープラック２は、積載側５ａと、積載方向２ａで積載側の反対側に位置する後側５ｂとを有する。ガラスシートは、積載側５ａから、積載方向２ａにハープラック２に挿入される。
【００２６】
さらに、ハープラック２は、地面に沿ってハープラック２を移動させるための車輪６を有する（好ましくは、４つ）。車輪６は、ベースフレーム３の下側に固定されている。
【００２７】
さらに、ハープラック２は、好ましくは、ハープラック２の後側５ｂに位置する保護グリル２７をさらに有する。保護グリル２７は、しばしば鋭いエッジを有するガラスシートによって操作者が負傷するのを防ぐのに役立つ。
【００２８】
ハープラック２のベースフレーム３は、フロアフレーム７と、複数の好ましくは長方形の区画フレーム８と、２つの上部支柱９と、好ましくは２つの横支柱１０とを有する。
【００２９】
フロアフレーム７は、好ましくは、既知の方法で、積載方向２ａに次々に配置された複数のローラー１２を有するローラーコンベヤー１１を有する。ローラー１２は、幅方向２ｂに平行な回転軸を中心に回転可能である。ローラーコンベヤー１１の代わりに、コンベヤーベルトなどの他の運搬手段が存在する。
【００３０】
区画フレーム８は、積載方向２ａにおいて、互いに離間して、次々に配置されている。区画フレーム８は、好ましくは、２つの上部支柱９および２つの横支柱１０によって互いに接続されている。さらに、区画フレーム８は、フロアフレーム７上に配置され、フロアフレーム７に固定的に接続されている。
【００３１】
区画フレーム８は、好ましくは、それぞれ、２つのフレーム長尺ビーム（梁）１３および２つのフレームクロスビーム（横梁）１４を含む。フレームクロスビーム１４は、それぞれ、特に、幅方向２ｂに平行に延びる。直立のフレーム長尺ビーム１３は、垂直に、または実質的に垂直に延びる。フレーム長尺ビーム１３は、フレームクロスビーム１４によって互いに接続されている。「実質的に垂直」とは、フレーム長尺ビーム１３が、垂線に対して、または高さ方向２ｃに対して傾斜していることを意味する。それらは、後側５ｂに向かって、またはそれから離れて傾斜していてもよく、および／または、ハープラック２の一方の側に向かって傾斜していてもよい。
【００３２】
「後側５ｂに向かって、またはそれから離れて傾斜している」とは、積載方向２ａに平行な方向の傾斜、または、幅方向２ｂに平行な軸の周りに傾斜または回転またはたわみを意味する。
【００３３】
「一方の側に傾斜」とは、幅方向２ｂに平行な方向の傾斜、または、積載方向２ａに平行な軸の周りに傾斜または回転またはたわみを意味する。
【００３４】
ここで、後側５ｂに向かう、またはそれから離れる傾斜角は、好ましくは４５°以下、より好ましくは２０°以下、特に好ましくは１０°以下である。
【００３５】
ハープラック２の一方の側に向かう傾斜角は、好ましくは７°以下、より好ましくは５°以下、特に好ましくは２°以下である。
【００３６】
区画フレーム８は、積載スペース４を、幅方向２ｂにおいて互いに隣接する個別の区画１５に分割する。互いに隣接し、互いに平行である区画１５は、積載側５ａに向かって開口しており、好ましくは、後側５ｂに向かっても開口している。
【００３７】
区画１５の分割のために、区画フレーム８は、それぞれ、互いに平行な、複数の第１の区画境界ロッドまたはバー、または、区画分割ロッドまたはバー１５を有する。これらは、互いに隣接し、幅方向２ｂにおいて互いに離間する。
【００３８】
第１の区画分割ロッド１６は、直立しており、実質的に垂直である。好ましくは、それらは、フレーム長尺ビーム１３に対して平行に延びる。
【００３９】
すでに上で述べたように、「実質的に垂直」とは、第１の区画分割ロッド１６が垂線に対して、または高さ方向２ｃに対して、わずかに傾斜していることを意味する。本発明によれば、それらは、後側５ｂに向かって、またはそれから離れて傾斜している（第１の傾斜角α）。また、それらは、ハープラック２の一方の側に向かって傾斜していてもよい（第２の傾斜角）。したがって、第１の傾斜角αは、幅方向２ｂに垂直な面上に投影された垂線と、区画分割ロッド１６との間の角度、または、区画分割ロッド１６が幅方向２ｂに平行な回転軸の垂線に対して偏向または傾斜した角度である。第２の傾斜角は、積載方向２ａに垂直な面上に投影された垂線と、区画分割ロッド１６との間の角度、または、区画分割ロッド１６が積載方向２ａに平行な回転軸の垂線に対して偏向または傾斜する角度である。
【００４０】
第１の傾斜角αは、好ましくは４５°以下、より好ましくは２０°以下、特に好ましくは１０°以下である。
【００４１】
第２の傾斜角は、好ましくは７°以下、より好ましくは５°以下、特に好ましくは２°以下である。
【００４２】
さらに、第１の区画分割ロッド１６は、下部フレームクロスビーム１４から上部フレームクロスビーム１４まで延びる。好ましくは、第１の区画分割ロッド１６は、２つのフレームクロスビーム１４に固定的に接続されている。さらに、第１の区画分割ロッド１６は、２つのフレーム長尺ビーム１３の間に配置されている。
【００４３】
次々に配置された個別の区画フレーム８の第１の区画分割ロッド１６は、それらが個別の区画１５を横方向（すなわち、幅方向２ｂ）に境界付けるように、積載方向２ａに互いに整列されるように構成される。したがって、一の区画フレーム８の各第１の区画分割ロッド１６は、積載方向２ａに位置合わせされた他の区画フレーム８の第１の区画分割ロッド１６と共に、一方の側で区画１５の境界を示す。
【００４４】
すなわち、一の区画フレーム８の各第１の区画分割ロッド１６は、積載方向２ａに整列させて構成された他の区画フレーム８の第１の区画分割ロッド１６と、第１のロッド列１７を形成する。各第１のロッド列１７は、それぞれ、一方の側で区画１５の境界を示す。
【００４５】
第１の区画分割ロッド１６は、好ましくは金属製であり、より好ましくはステンレススチール製である。また、第１の区画分割ロッド１６は、チューブが好ましい。
【００４６】
好ましくは、さらに、以下でより詳細に説明するように、ガラスシートが引っかかれることを防止するために、回転可能なプラスチック製小チューブ１８が提供される。プラスチック製小チューブ１８は、区画分割ロッド１６の周りに配置され、それらの周りで自由に回転可能である。
【００４７】
本発明によれば、さらに、ハープラック２は、複数の第２の区画境界ロッドまたはバー、または、区画分割ロッドまたはバー１９を有する。第２の区画分割ロッド１９は、それぞれ、第１のロッド列１７の第１区画分割ロッド１６の間に延びる。
【００４８】
したがって、第２の区画分割ロッド１９は、一の第１の区画分割ロッド１６から、それに直接隣接し、同じロッド列１７の積載方向２ａに整列した他の第１の区画分割ロッド１６まで延びる。
【００４９】
さらに、第２の区画分割ロッド１９は、特に、下部フレームクロスビーム１４と上部フレームクロスビーム１４との間に位置し、下部フレームクロスビーム１４と上部フレームクロスビーム１４とから離間している。
【００５０】
好ましくは、さらに、第２の区画分割ロッド１９は、水平に、または積載方向２ａに平行に延びる。ただし、第２の区画分割ロッド１９は、積載方向２ａに対して、または水平に対してある角度で延びる。しかしながら、それらは、第１の区画分割ロッド１６と平行ではない。
【００５１】
第２の区画分割ロッド１９が水平でない場合、それらは、積載方向２ａに対して、または高さ方向２ｃの第３の傾斜角による水平に対して、偏向または傾斜している。したがって、第３の傾斜角は、幅方向２ｂに垂直な面に投影された、水平方向または積載方向２ａと、第２の区画分割ロッド１９との間の角度、または、水平方向または積載方向２ａに対して、第２の区画分割ロッド１９が幅方向２ｂに平行な回転軸を中心に偏向または傾斜する角度である。
【００５２】
第３の傾斜角は、好ましくは５°以下、より好ましくは３°以下、特に好ましくは１°以下である。
【００５３】
第１の区画分割ロッド１６が一方の側に傾斜している場合、第２の区画分割ロッド１９も必然的に幅方向２ｂの方向に傾斜するか、または、垂線に平行な回転軸の周りに対応して傾斜または偏向する。
【００５４】
さらに、同じ２つの区画フレーム８の間に配置された第２の区画分割ロッド１９は、好ましくは、互いに隣接し、幅方向２ｂに互いに整列している。それらは、第２（特に、水平）のロッド列１９を形成する。しかしながら、第２の区画分割ロッド１９はまた、それらの高さにおいて、互いに対してオフセットされる。
【００５５】
第２の区画分割ロッド１９もまた、好ましくは金属製であり、好ましくはステンレススチール製である。また、第２の区画分割ロッド１９は、チューブが好ましい。
【００５６】
本発明によれば、第２の区画分割ロッドは、区画１５の追加的な横方向の境界に使用され、ガラスシートがそれぞれの区画１５に挿入されるときにガラスシートを案内および中央に配置する。
【００５７】
第２の区画分割ロッド１９は、好ましくは、プラスチック製の小チューブ１８よりも小さい外径を有する。これは、ガラスシートの表面への損傷を防止する。
【００５８】
さらに、区画１５の幅は、好ましくは８〜３０ｍｍ、より好ましくは１３〜２４ｍｍである。したがって、本発明によるハープラック２の区画１５は、既知の保管デバイスの区画よりも幾分広い幅を有する。このように、区画１５へのわずかに湾曲したガラスシートの問題のない挿入がさらに保証される。
【００５９】
好ましくは、さらに、第２の区画分割ロッド１９は、第１の区画分割ロッド１６に取り外し可能に接続される。この目的のために、好ましくは、プラスチッククリップ２０（図３〜７）が提供される。
【００６０】
プラスチッククリップ２０は、それぞれ２つの部分で構成され、第１のハーフクリップ２０ａと、第２のハーフクリップ２０ｂとを有する。
【００６１】
ハーフクリップ２０ａ、２０ｂは、それぞれ、中央部分２１と、そこから両側に延びる２つのペグ２２とを有する。
【００６２】
各中央部分２１は、第１の区画分割ロッド１６を受け入れるための連続ロッドレセプタクル溝２３を有する。その結果、ロッドレセプタクル溝２３は、半円形の断面を有する。断面の直径は、好ましくは、第１の区画分割ロッド１６の外径に対応する。
【００６３】
２つのペグ２２は、それぞれ、少なくとも端部で管状に形成されている第２の区画分割ロッド１８の一方に挿入される。したがって、それらは、同様に半円形の断面を有し、断面の外径は、第２の区画分割ロッド１８の内径に実質的に相当する。さらに、ペグ２２は、好ましくは、ペグ２２の自由端からペグに延びるスロット２４を有する。
【００６４】
ハープラック２の積載側５ａおよび後側５ｂに配置されたプラスチッククリップ２０のハーフクリップ２０ａ、２０ｂはそれぞれ、好ましくは、１つのペグ２２のみを有する。
【００６５】
さらに、２つのハーフクリップ２０ａ、２０ｂはそれぞれ、それぞれの他のハーフクリップ２０ａ、２０ｂに取り付けるための取付面２５を有する。さらに、２つのハーフクリップ２０ａ、２０ｂのうちの一方は、取付面２５から突出する２つのピン２６を有する。２つのハーフクリップ２０ａ、２０ｂのうちの他方は、ピンに対応する２つの凹部（図示せず）を有する。
【００６６】
第２の区画分割ロッド１８を第１の区画分割ロッド１６に接続するために、２つのハーフクリップ２０ａ、２０ｂは、第１の区画分割ロッド１６の周りにロッドレセプタクル溝２３が配置され、ピン２６が凹部に挿入される。このようにして、ハーフクリップ２０ａ、２０ｂは互いに接続され、プラスチッククリップ２０が第１の区画分割ロッド１６にクランプされる。次に、第２の区画分割ロッド１８の一方は、ペグ２２の一方に差し込まれる。
【００６７】
その結果、第１区画分割ロッド１６および第２の区画分割ロッド１８は、固定的ではあるが取り外し可能に互いに接続されている。
【００６８】
本発明による追加の第２の区画分割ロッド１９の利点は、これらが本発明による保管デバイス１に導入されるときに、ガラスシートの追加的な横方向のガイドを提供することである。区画１５は、第２の区画分割ロッド１９によって、さらに横方向に境界付けられる。それにより、区画１５は、積載方向２ａにおいて連続的に横方向に境界付けられる。結果として、ガラスシートは、隣接する区画１５に入り込まない。
【００６９】
さらに、第２の区画分割ロッドはまた、第１の区画分割ロッド上のプラスチック製小チューブが必要なオープンスペースを許容するように変位可能である限り、その後に容易に設置することができる。プラスチッククリップは、２つのプラスチック製の小チューブの間のオープンスペースに簡単にクリップされる。
【００７０】
保管デバイス１が可動保管デバイス１ではなく、むしろ固定保管デバイス１であることも本発明の範囲内である。
【００７１】
区画分割ロッド１６、１９の代わりに、区画分割ケーブル（好ましくは金属製、好ましくはスチール製）、または他の長尺状の第１または第２の区画境界エレメント、または区画分割エレメント２８、２９が使用されることも本発明の範囲内である。さらに、区画分割エレメント２８、２９は、丸い断面を有する。
【００７２】
さらに、プラスチッククリップの代わりに、他の材料で作られたクリップが使用されることは、本発明の範囲内である。その場合、クリップは、金属製であることが好ましい。特に、それらは、好ましくは、プレス加工されたシート金属部品または鋳造部品、特にダイカスト部品である。
【００７３】
さらに、２つのハーフクリップは、特に一端で、互いに取り外し不可能に接続されることもできる。その結果、クリップは、２つの部分を有するが、複数の部分ではなく、むしろ１つの部分として実現される。例えば、２つのハーフクリップは、ヒンジで相互に接続される。または、クリップは、一方の側で開口を形成し、スロット（細長い小さな孔）を形成する。
【００７４】
次に、組み立て中に、それらは、第１の区画分割エレメントの周りに配置されるか、または第１の区画分割エレメントは、スロットを通してクリップに押し込まれる。ハーフクリップのそれぞれの自由端は、好ましくは、特に取り外し可能に、互いに接続される。次に、取り外し可能な接続は、好ましくは、プラグ接続および／またはスナップオン接続、特に、互いに取り外し可能に接続された２つのハーフクリップについての上記のような接続である。しかしながら、特に、スロット付きクリップの場合、第１の区画分割エレメント上にクリップを押し込むだけで十分な場合もある。これらはこの間に弾性変形するため、ハーフクリップを相互に追加接続することなく、第１の区画分割エレメントをクランプ方式で保持することができる。
【００７５】
第１の区画分割エレメントへの２つの区画分割エレメントの間接的な取り外し可能な接続はまた、他の追加の接続エレメントを使用して実現される。
【００７６】
上記で説明したように、接続エレメントに基づいて、第１の区画分割エレメントへの２つの区画分割エレメントのその後の接続が可能である。ここで、「その後（subsequent）」とは、第２の区画分割エレメントの組み立てとは別に、保管デバイスの組み立てが完了した後に、２つの区画分割エレメントを取り付けることができることを意味する。その結果、第１の区画分割エレメントのみを含む既存の保管デバイスを後付けすることができる。
【００７７】
これは、接続エレメントにより、第１の区画分割エレメントを変更または処理する必要がなく、むしろ変更しないでおくことができるからである。したがって、特に、第１の区画分割エレメントは、第２の区画分割エレメントに接続するための接続手段を有していない。
【手続補正２】
【補正対象書類名】特許請求の範囲
【補正対象項目名】全文
【補正方法】変更
【補正の内容】
【特許請求の範囲】
【請求項１】
ガラスシート（好ましくは積層ガラスシートまたは単板安全ガラスシート）を保管するための保管デバイス（１）（特にハープラック（２））であって、
積載スペース（４）と、
前記ガラスシートの収容のために、前記保管デバイス（１）の積載方向（２ａ）に次々に配置され、前記保管デバイス（１）の幅方向（２ｂ）において、互いに隣接し、互いに平行に配置された個別の区画（１５）に前記積載スペース（４）を分割する複数の区画フレーム（８）と、を含み、
前記区画フレーム（８）はそれぞれ、前記区画（１５）の分割のために、前記幅方向（２ｂ）において、互いに隣接し、互いに離間する複数の第１の長尺区画分割エレメント（２８）（好ましくは区画分割ロッド（１６）および／または区画分割ケーブル）を含み、
前記保管デバイス（１）は、前記区画（１５）の横方向の境界を示す前記第１の区画分割エレメント（２８、１６）に加え、複数の第２の長尺区画分割エレメント（２９）（好ましくは区画分割ロッド（１９）および／または区画分割ケーブル）を含み、
前記複数の第２の長尺区画分割エレメント（２９、１９）は、次々に配置された２つの区画フレーム（８）の２つの第１の区画分割エレメント（２８、１６）の間に延び、
前記区画分割エレメント（２８、２９）は、円形の断面を有し、
前記第１の区画分割エレメント（２８、１６）は、垂線に対して傾斜し、後側（５ｂ）に向かって傾斜角αで傾斜しまたは前記後側（５ｂ）から離れて傾斜し、
前記傾斜角αは、好ましくは４５°以下、好ましくは２０°以下、特に好ましくは１０°以下であることを特徴とする保管デバイス（１）。
【請求項２】
前記第２の区画分割エレメント（２９、１９）はそれぞれ、１つの区画フレーム（８）の前記第１の区画分割エレメント（２８、１６）から、その後に位置する前記区画フレーム（８）の前記第１の区画分割エレメント（２８、１６）まで延びる請求項１に記載の保管デバイス（１）。
【請求項３】
前記保管デバイス（１）は、前記積載方向（２ａ）と、前記積載方向に垂直な水平幅方向（２ｂ）と、前記積載方向（２ａ）および前記幅方向（２ｂ）に垂直な高さ方向（２ｃ）とを含み、
好ましくは、積載側（５ａ）と、前記積載方向（２ａ）において前記積載側の反対側に位置する前記後側（５ｂ）とを含む請求項１または２に記載の保管デバイス（１）。
【請求項４】
前記区間フレーム（８）は、前記積載方向（２ａ）において、互いに離間して、次々に配置されている請求項３に記載の保管デバイス（１）。
【請求項５】
前記幅方向（２ｂ）に互いに隣接する前記区画（１５）は、前記保管デバイス（１）の前記積載側（５ａ）に向かって、好ましくは前記保管デバイス（１）の前記後側（５ｂ）にも向かって開口している請求項３または４に記載の保管デバイス（１）。
【請求項６】
次々に配置された前記個別の区画フレーム（８）の前記第１の区画分割エレメント（２８、１６）は、前記個別の区画（１５）の横方向の境界を示すように、前記積載方向（２ａ）に互いに位置合わせするように構成されている請求項３ないし５のいずれかに記載の保管デバイス（１）。
【請求項７】
前記区画フレーム（８）の各前記第１の区画分割エレメント（２８、１６）は、前記積載方向（２ａ）に位置合わせして構成された他の区間フレーム（８）の前記第１の区画分割エレメント（２８、１６）と共に、一方の側で前記区間（１５）の境界を示す請求項６に記載の保管デバイス（１）。
【請求項８】
前記区画フレーム（８）の各前記第１の区画分割エレメント（２８、１６）は、前記積載方向（２ａ）において位置合わせして構成された他の区画フレーム（８）の前記第１の区画分割エレメント（２８、１６）と共に、第１のエレメント列（好ましくはロッド列（１７））を形成し、
前記第１のエレメント列（好ましくはロッド列（１７））は、それぞれ一方の側で前記区画（１５）の境界を示す請求項６または７に記載の保管デバイス（１）。
【請求項９】
前第２の区画分割エレメント（２９、１９）は、一の第１の区画分割エレメント（２８、１６）から、前記積載方向（２ａ）において、前記一の第１の区画分割エレメントに直接隣接し、整列している同じロッド列（１７）の他の第１の区画分割エレメント（２８、１６）まで延在する請求項８に記載の保管デバイス（１）。
【請求項１０】
前記第２の区画分割エレメント（２９、１９）は、水平に、または水平に対する傾斜角で傾斜して延在し、
前記傾斜角は、好ましくは５°以下、好ましくは３°以下、特に好ましくは１°以下である請求項１ないし９のいずいれかに記載の保管デバイス（１）。
【請求項１１】
同じ区画フレーム（８）の間に位置する前記第２の区画分割エレメント（２９、１９）は、互いに隣接して構成され、好ましくは、前記幅方向（２ｂ）において互いに整列している請求項１ないし１０のいずいれかに記載の保管デバイス（１）。
【請求項１２】
前記第１の区画分割エレメント（２８、１６）は、前記ハープラック（２）の一方の側に向かって第２の傾斜角で傾斜しており、
前記第２の傾斜角は、好ましくは７°以下、好ましくは５°以下、特に好ましくは２°以下である請求項１ないし１１のいずいれかに記載の保管デバイス（１）。
【請求項１３】
前記区画フレーム（８）は、２つの直立フレーム長尺ビーム（１３）と、下部および上部フレームクロスビーム（１４）とを含み、
前記フレームクロスビーム（１４）は、好ましくは前記幅方向（２ｂ）に平行であり、
前記第１の区画分割エレメント（１６）は、前記下部フレームクロスビーム（１４）から前記上部フレームクロスビーム（１４）まで延びる請求項１ないし１２のいずいれかに記載の保管デバイス（１）。
【請求項１４】
前記第２の区画分割エレメント（２９、１９）は、前記下部フレームクロスビーム（１４）と前記上部フレームクロスビーム（１４）との間に位置され、前記下部フレームクロスビーム（１４）および前記上部フレームクロスビーム（１４）から離間している請求項１ないし１３のいずいれかに記載の保管デバイス（１）。
【請求項１５】
前記ガラスシートを搬送するための搬送手段（好ましくはローラーコンベヤーまたはコンベヤーベルト）をさらに含む請求項１ないし１４のいずいれかに記載の保管デバイス（１）。
【請求項１６】
前記区画フレーム（８）は、前記第１の区画分割エレメント（２８、１６）の周りに配置され、好ましくはそれらの周りで自由に回転可能であるプラスチック製小チューブ（１８）を含み、
前記第２の区画分割エレメント（２９、１９）は、好ましくは、前記プラスチック製小チューブ（１８）より小さな外側を有する請求項１ないし１５のいずいれかに記載の保管デバイス（１）。
【請求項１７】
前記区画（１５）の前記幅は、８〜３０ｍｍ、好ましくは１３〜２４ｍｍである請求項１ないし１６のいずいれかに記載の保管デバイス（１）。
【請求項１８】
前記第１の区画分割エレメント（２８、１６）および／または前記第２の区画分割エレメント（２９、１９）は、金属（好ましくはステンレススチール）でできている請求項１ないし１７のいずいれかに記載の保管デバイス（１）。
【請求項１９】
前記第１の区画分割ロッド（１６）および／または前記第２の区画分割ロッド（１９）はチューブである求項１ないし１８のいずいれかに記載の保管デバイス（１）。
【請求項２０】
前記第２の区画分割エレメント（２９、１９）は、特に接続エレメントによって、前記第１の区画分割エレメント（２８、１６）に取り外し可能に接続されている請求項１ないし１９のいずいれかに記載の保管デバイス（１）。
【請求項２１】
前記第２の区画分割エレメント（２９、１９）は、後で設置することができ、特に、前記第１の区画分割エレメント（２８、１６）に後で取り外し可能に接続することができる請求項１ないし２０のいずいれかに記載の保管デバイス（１）。
【請求項２２】
前記接続エレメントはそれぞれ、前記第１の区画分割エレメント（２８、１６）の１つに取り外し可能に接続され、
前記第２の区画分割エレメント（２９、１９）はそれぞれ、前記接続エレメントの１つに取り外し可能に接続される請求項２０または２１に記載の保管デバイス（１）。
【請求項２３】
前記接続エレメントは、好ましくはクランプ方式で、前記第１の区画分割エレメント（２８、１６）の周囲に配置され、
好ましくは、前記第２の区画分割エレメント（２９、１９）は、プラグ接続および／またはスナップ接続によって前記接続エレメントに接続される請求項２０ないし２２のいずれかに記載の保管デバイス（１）。
【請求項２４】
前記接続エレメントは、複数のピースまたは１つのピースで形成されている請求項２０ないし２３のいずれかに記載の保管デバイス（１）。
【請求項２５】
前記接続エレメントは、クリップ（好ましくはプラスチッククリップ（２０）または金属製のクリップ）である請求項２０ないし２４のいずれかに記載の保管デバイス（１）。
【請求項２６】
前記クリップは、２つの部分で構成され、それぞれ、第１ハーフクリップおよび第２のハーフクリップ（２０ａ、ｂ）を含み、
前記２つのハーフクリップ（２０ａ、ｂ）は、前記第１の区画分割エレメント（２８、１６）の周りに配置され、好ましくは、プラグ接続および／またはスナップオン接続によって、互いに接続される請求項２５に記載の保管デバイス（１）。
【請求項２７】
前記２つのハーフクリップ（２０ａ、ｂ）は、少なくとも一端で互いに接続されている請求項２６に記載の保管デバイス（１）。
【請求項２８】
ガラスシート（好ましくは積層ガラスシートまたは単板安全ガラスシート）を処理するためのガラス加工装置（好ましくはガラスシート（好ましくは積層ガラスシートまたは単板安全ガラスシート）を個別のガラスシートカットに切断するための切断装置）であって、
前記ガラス加工装置は、請求項１ないし２７のいずれかに記載の少なくとも１つの保管デバイス（１）を含むことを特徴とするガラス加工装置。
【請求項２９】
前記ガラスシート（好ましくは前記積層ガラスシートおよび／または前記単板安全ガラスシート）用の請求項１ないし２７のいずれかに記載の保管デバイスの使用。
【国際調査報告】
2021524426.tif 000009
2021524426.tif 000010
2021524426.tif 000011
2021524426.tif 000012